(57)【要約】【課題】  低コストで便座に対してテープ残りが発生しないようにする。【解決手段】  シート本体２１に設けた穴２２を着座面２１ａ側から塞ぐように接着テープ２５を貼り付けているので、シート取り付け時には、この穴２２から便座接触面２１ｂ側に露呈している接着テープ２５の接着面で便座１に接着し、取り外し時に、便座シートを持ち上げることで、接着シート２５の接着面のうち、シート本体２１の穴２２の周縁部に接着している部分、即ち、接着面の周縁全体が便座１から離間する方向に引き上げられるので、便座１に接着している中央部分が確実に剥がれて、テープ残りは発生しない。【選択図】        図４
2006043026.tif 000002
【特許請求の範囲】
【請求項１】
便座の上に載せるためのシート本体と、該シート本体を便座の上に固定するための接着テープとを有する使い捨て便座シートにおいて、
前記シート本体には前記便座と重なり合う位置に穴または切欠きが設けられ、
前記接着テープが前記シート本体の着座面側から前記穴または切欠きを塞ぐように貼り付けられ、該穴または切欠きから便座接触面側に露呈した前記接着テープの接着面を便座に接着させて、前記シート本体を固定させることを特徴とする使い捨て便座シート。
【請求項２】
前記接着テープの前記接着面と反対側の表面は、前記接着面に対して低接着性を有していることを特徴とする請求項１記載の使い捨て便座シート。
【発明の詳細な説明】
【技術分野】
【０００１】
本発明は、接着テープで便座の上に固定して使用する使い捨て便座シートにおいて、低コストで接着テープが便座に残らないようにするための技術に関する。
【背景技術】
【０００２】
公共施設や飛行機、電車などの乗り物に設置された洋式トイレの使用する場合に、その衛生面から、使い捨て便座シートが用いられている。
【０００３】
使い捨て便座シートは、トイレに備えつけられている場合と、個人が携帯して使用する場合とがあり、使用後にトイレに流せるように水に溶けるあるいは水で分解される紙などの材料で製造されている。
【０００４】
図８は、従来の使い捨て便座シート１０を示している。この便座シート１０は、洋式トイレの便座に対応した略長円枠状の外形を有する紙製のシート本体１１と、そのシート本体１１を便座の上に固定するために、シート本体１１の下面（便座接触面）１１ａに貼り付けられた接着テープ１２、１２とを有している。
【０００５】
接着テープ１２は、図９の（ａ）に示すように、基材１２ａの両面に接着材層１２ｂ、１２ｃが設けられた両面接着型のテープであり、予めシート本体１１の下面１１ａの所定位置に一方の接着材層１２ｂを接した状態で固定されている。
【０００６】
また、他方の接着材層１２ｃの表面は剥離紙１２ｄで覆われていて、使用の際には、その剥離紙１２ｄを剥がして、図９の（ｂ）のように、便座シート１０を、接着テープ１２が貼り付けられていない面（着座面）１１ｂを上に向けて便座１の上に乗せて、接着テープ１２の接着材層１２ｃを便座１の表面に接着させ、シート本体１１が移動しないように固定してから、その上に着座する。
【０００７】
このように、便座に対するシート本体１１の固定を両面接着型のテープにより行う使い捨て便座シートは、次の特許文献１、２に開示されている。
【０００８】
【特許文献１】特開２００３−２６５３６２号公報
【特許文献２】特開２００３−０９５５２３号公報
【発明の開示】
【発明が解決しようとする課題】
【０００９】
しかしながら、上記のように両面接着型の接着テープ１２をシート本体１１の便座側に貼り付けた使い捨て便座シート１０では、使用後に便座１から外すときに、接着テープ１２あるいはその一部が便座１側に残ってしまうという問題があった。
【００１０】
この現象は、接着テープ１２がその両面側から引っ張られることにより発生するものであり、シート本体１１が接着テープ１２の接着材層１２ｂから剥がれてしまう場合と、接着テープ１２の基材１２ａが破れてしまう場合とがある。特に、前記したように、使用後トイレに流しても問題ないように、接着テープ１２の基材１２ａとして水分に対してもろい材質が使用される場合には、後者の現象がよく発生する。
【００１１】
この問題を解決するために、接着テープを用いずに、シート本体１１の下面１１ａに、接着材を塗布あるいは印刷することも考えられるが、この方法は接着テープを用いたものに比べコスト高となる。
【００１２】
また、このように接着材を塗布する方法の場合、製造時等に便座シートを重ね置きすると、便座シート同士が接着されたり、携帯用に折り畳むと、接着材によってシート本体が折り畳まれた状態で接着されてしまい、これを剥がす際にシートが破れてしまう。
【００１３】
これを防ぐためには、便座シートの間に接着性の低いシート等を挟んだり、接着材の接着力を弱くしなければならない。
【００１４】
しかし、便座シートの間に接着性の低いシートを挟む方法は、無駄なシートを必要とし、作業が煩雑化してコストが高くなる。また、接着力の弱い接着材は、その表面に埃などが付着すると、接着力が極端に低下してしまい、保存性が悪いという問題があった。
【００１５】
本発明は、上記問題を解決して、低コストでテープ残りが発生しない使い捨て便座シートを提供することを目的としている。
【課題を解決するための手段】
【００１６】
前記目的を達成するために、本発明の請求項１の使い捨て便座シートは、
便座の上に載せるためのシート本体と、該シート本体を便座の上に固定するための接着テープとを有する使い捨て便座シートにおいて、
前記シート本体には前記便座と重なり合う位置に穴または切欠きが設けられ、
前記接着テープが前記シート本体の着座面側から前記穴または切欠きを塞ぐように貼り付けられ、該穴または切欠きから便座接触面側に露呈した前記接着テープの接着面を便座に接着させて、前記シート本体を固定させることを特徴としている。
【００１７】
また、本発明の請求項２の使い捨て便座シートは、請求項１の使い捨て便座シートにおいて、
前記接着テープの前記接着面と反対側の表面は、前記接着面に対して低接着性を有していることを特徴としている。
【発明の効果】
【００１８】
このように、本発明の使い捨て便座シートは、シート本体に設けた穴またき切欠きを着座面側から塞ぐように接着テープを貼り付けているので、シート取り付け時には、この穴またき切欠きから便座接触面側に露呈している接着テープの接着面で便座に接着し、取り外し時に、便座シートを持ち上げることで、接着シートの接着面のうち、シート本体の穴または切欠きの周縁部に接着している部分、即ち、接着面の周縁が便座から離間する方向に引き上げられるので、便座に接着している部分が確実に剥がれて、テープ残りは発生しない。
【００１９】
また、接着テープの接着面は、便座シートの便座接触面からシート本体の厚さ分だけ着座面寄りに位置するので、便座シート同士を重ね合わせたり、携帯用に折り畳んだ場合でも、便座シート同士が接着されたり、シート本体が折り畳まれた状態で接着される確率が低く、しかも、たとえ接着された場合でも上記のように容易に剥がれて、シート破れは発生しない。
【００２０】
また、接着テープの接着面と反対側の表面が、接着面に対して低接着性を有している場合には、便座シート同士を重ね合わせた場合、便座シートの接着テープの接着面が、その便座シートの便座接触面側に隣接する便座シートの接着テープの低接着性の表面に重なりあうことになり、便座シート同士がくっついてしまうことがなく、保管がきわめて容易となる。
【発明を実施するための最良の形態】
【００２１】
以下、図面に基づいて本発明の使い捨て便座シートの実施形態を説明する。
図１は、本発明を適用した使い捨て便座シート２０を示し、図２は、その分解図を示している。
【００２２】
これらの図に示すように、使い捨て便座シート２０のシート本体２１は、洋式トイレの便座に対応した略長円枠状の外形を有し、水溶性または水解性を有する薄い紙で形成されている。このシート本体２１には、複数（図１、２では２つ）の円形の穴２２、２２が設けられている。
【００２３】
このシート本体２１の穴２２、２２は、シート本体２１の着座面（上面）２１ａから貼り付けられた接着テープ２５、２５によって塞がれている。
【００２４】
接着テープ２５は、図３に示すように、基材２５ａの一面側に接着材層２５ｂが設けられた薄い片面接着型のものであり、一辺が穴２２の直径より大きいほぼ正方形に形成され、穴２２とほぼ同心となる位置に貼り付けられている。したがって、接着テープ２５の接着面（接着材層２５ｂの表面）の四隅および縁部はシート本体２１の穴２２の周縁に接着し、中央部はシート本体２１を便座接触面側（下面側）２１ｂからみて、穴２２から露呈している。
【００２５】
なお、この接着テープ２５は、ロール状に巻かれた一続きのものから切り出されてシート本体２１に貼り付けられる。したがって、接着テープ２５の接着面と反対側の表面、即ち、基材２５ａの表面は、接着面に対して剥離紙のような極めて低い接着性を有している。
【００２６】
また、ここでは、穴２２を円形とし、接着テープ２５をほぼ正方形としているが、接着テープ２５が穴２２を塞ぐことができれば、両者の形状は任意であり、例えば、両者を円形、四角形、三角形等にしてもよい。
【００２７】
このように構成された使い捨て便座シート２０を使用する際には、図４の（ａ）に示しているように、接着テープ２５が接着されている着座面２１ａが上面となるように便座１の上に載せて位置決めする。なお、この位置決めの際、便座シート２０の接着テープ２５の接着面は、便座１の上面に対してシート厚さ分だけ離間しているので、便座１に接着される確率は低く、容易に位置決めできる。
【００２８】
このようにして位置決めした後、図４の（ｂ）のように、接着テープ２５の中央部を上から押す。これにより、接着テープ２５の接着面のうち、シート本体２１の穴２２から便座接触面２１ｂ側に露出している中央部が便座１の上面に接着され、シート本体２１が便座１に対して固定される。
【００２９】
そして、使用後にシート本体２１を上方に引き上げると、接着テープ２５は、図４の（ｃ）のように、四隅と縁部が引き上げられる。このとき、接着テープ２５は下層側から全体的に持ち上げられ、上下両面から引っ張られないため、便座１に接着していた中央部が便座１から確実に剥がれ、便座１の上に残ることはなく、シート破れも発生しにくい。
【００３０】
また、例えば携帯使用のために、図５のように、便座シート２０を折り畳んだ場合、穴２２から露呈している接着テープ２５の接着面は、便座接触面２１ｂからシート厚分だけ着座面２１ａ寄りに位置しているので、便座シート２０の接着面と、折り返された便座着座面２１ｂ側とが離間し、接着される確率は低い。また、たとえ、接着テープ２５の接着面が折り返された便座接触面２１ｂに接着しても、上記した便座に対する剥がし動作と同様に簡単に剥がれて、接着テープ２５が折り返された便座接触面２１ｂ側に移動することはなく、便座シート２０を破くこともない。
【００３１】
また、例えばシート製造時等に、図６のように多数の便座シート２０を上下に重ね合わせた場合でも、各便座シート２０の接着テープ２５の接着面は、その下にある便座シート２０の着座面２１ａとシート厚さ分だけ離間しているので、上下の便座シート２０同士が接着される確率は低い。
【００３２】
また、仮に、接着テープ２５部分に圧力がかかって、上の便座シート２０の接着面が下の便座シート２０の着座面２１ａに接触しても、その接触位置は、下の便座シート２０の接着テープ２５の低接着性を有する表面であるので、上下の便座シート同士が接着されることはなく、多数重ね置きしても問題なく、保管が極めて容易となる。
【００３３】
なお、上下の便座シート２０がずれた状態で重なり合い、接着テープ２５部分に圧力がかかって、上の便座シート２０の接着面が、下の便座シート２０の接着テープ２５の表面以外の着座面に接着しても、上記した便座に対する接着の場合と同様に容易に剥がれ、上の便座シート２０の接着テープ２５が下の便座シート２０の着座面２１ａ側に移動することはなく、シート破れも発生しない。
【００３４】
なお、前記した使い捨て便座シート２０のシート本体２１には穴２２が設けられていたが、図７に示す使い捨て便座シート２０′のように、シート本体２１′に切欠き２３、２３を設け、その切欠き２３、２３を塞ぐように接着テープ２５を着座面２１ａ側から貼り付けて構成してもよい。
【図面の簡単な説明】
【００３５】
【図１】本発明の実施形態の使い捨て便座シートの全体図
【図２】実施形態の使い捨て便座シートの分解図
【図３】実施形態の要部拡大図
【図４】実施形態の使用方法を説明するための要部拡大図
【図５】実施形態の便座シートを折り畳んだ状態を示す図
【図６】実施形態の便座シートを重ね合わせた状態を示す図
【図７】本発明の他の実施形態の構成を示す図
【図８】従来の使い捨て便座シートの分解図
【図９】従来の使い捨て便座シートの使用方法を説明するための要部拡大図
【符号の説明】
【００３６】
１……便座、２０、２０′……使い捨て便座シート、２１、２１′……シート本体、２２……穴、２３……切欠き、２５……接着テープ
【図１】
2006043026.tif 000003
【図２】
2006043026.tif 000004
【図３】
2006043026.tif 000005
【図４】
2006043026.tif 000006
【図５】
2006043026.tif 000007
【図６】
2006043026.tif 000008
【図７】
2006043026.tif 000009
【図８】
2006043026.tif 000010
【図９】
2006043026.tif 000011